(57)【要約】【課題】冷却室内の温度の過剰な上昇を防いで、冷却室内の貯蔵物の品質劣化を防止する冷却庫を得る。【解決手段】本発明の冷却庫は、圧縮機１２で圧縮されて凝縮器１３で液化された冷媒が冷却器６に供給されることで、冷却室５内が冷却される。冷却器６の冷媒入口６ａは、電磁弁１５を介して圧縮機１２の冷媒出口１２ｂ側に接続され、冷却器６の冷媒出口６ｂが、圧縮機１２の冷媒入口１２ａ側に接続される。そして、冷却室５に配置された温度センサ１８の検知温度Ｄがオン温度値Ｄｎ以上になると、圧縮機１２が作動し、その圧縮機１２の作動の開始時刻から待機時間Ｌｔが経過したときに、電磁弁１５がオンする。その後に温度センサ１８の検知温度Ｄがオフ温度値Ｄｆ以下になると、電磁弁１５がオフになり、また圧縮機１２が停止する。【選択図】図１
2010025484.tif 000002
【特許請求の範囲】
【請求項１】
冷却室（５）と、該冷却室（５）に配置された冷却器（６）とを有し、冷却器（６）に圧縮機（１２）で圧縮されて凝縮器（１３）で液化された冷媒が供給されることで、冷却室（５）内が冷却されるようになっている冷却庫において、
冷却器（６）の冷媒入口（６ａ）が、電磁弁（１５）を介して圧縮機（１２）の冷媒出口（１２ｂ）側に接続され、冷却器（６）の冷媒出口（６ｂ）が、圧縮機（１２）の冷媒入口（１２ａ）側に接続されており、
冷却室（５）には、該冷却室（５）内の温度を検知する温度センサ（１８）が配置されており、
圧縮機（１２）が停止している状態で温度センサ（１８）の検知温度（Ｄ）が所定のオン温度値（Ｄｎ）以上になると、圧縮機（１２）が作動し、その後に温度センサ（１８）の検知温度（Ｄ）が所定のオフ温度値（Ｄｆ）以下になると、圧縮機（１２）が停止するようになっており、
電磁弁（１５）は、圧縮機（１２）の作動の開始時刻から所定の待機時間（Ｌｔ）が経過したときにオフからオンになり、その後に温度センサ（１８）の検知温度（Ｄ）がオフ温度値（Ｄｆ）以下になるとオフになることを特徴とする冷却庫。
【請求項２】
複数個の冷却室（５１・５２）と、各冷却室（５１・５２）に配置された冷却器（６１・６２）とを有し、これら冷却器（６１・６２）に圧縮機（１２）で圧縮されて凝縮器（１３）で液化された冷媒が供給されることで、各冷却室（５１・５２）内が冷却されるようになっている冷却庫において、  各冷却器（６１・６２）の冷媒入口（６１ａ・６２ａ）が、電磁弁（１５１・１５２）を介して圧縮機（１２）の冷媒出口（１２ｂ）側にそれぞれ接続され、各冷却器（６１・６２）の冷媒出口（６１ｂ・６２ｂ）が、圧縮機（１２）の冷媒入口（１２ａ）側にそれぞれ接続されており、
各冷却室（５１・５２）には、該冷却室（５１・５２）内の温度を検知する温度センサ（１８１・１８２）がそれぞれ配置されており、
圧縮機（１２）が停止している状態で温度センサ（１８１・１８２）により検知された各冷却室（５１・５２）の検知温度（Ｄ１・Ｄ２）のいずれかが、冷却室（５１・５２）毎に設定された所定のオン温度（Ｄｎ１・Ｄｎ２）以上になると、圧縮機（１２）が作動するようになっており、
圧縮機（１２）の作動の開始時刻から所定の待機時間（Ｌｔ）が経過したときに、前記検知温度（Ｄ１・Ｄ２）が前記オン温度値（Ｄｎ１・Ｄｎ２）以上となる冷却室（５１・５２）に対応する電磁弁（１５１・１５２）がオフからオンになり、その後に当該冷却室（５１・５２）の検知温度（Ｄ１・Ｄ２）が、冷却室（５１・５２）毎に設定された所定のオフ温度（Ｄｆ１・Ｄｆ２）以下になると、該オフ温度（Ｄｆ１・Ｄｆ２）以下となった冷却室（５１・５２）に対応する電磁弁（１５１・１５２）がオンからオフになり、
全ての電磁弁（１５１・１５２）がオフになると、圧縮機（１２）が停止することを特徴とする冷却庫。
【発明の詳細な説明】
【技術分野】
【０００１】
本発明は、圧縮機の作動で圧縮されて凝縮器で液化された冷媒が、冷却室内に配置された冷却器へ供給されて気化することで、冷却室内が冷却される冷却庫に関する。
【背景技術】
【０００２】
この種の冷却庫としては、例えば特許文献１が公知である。特許文献１の冷却庫では、冷却器の冷媒入口が電磁弁を介して圧縮機の冷媒出口側に接続されており、圧縮機の作動に連動して電磁弁がオン（開弁）することで、圧縮機で圧縮されて凝縮器で液化された冷媒が冷却器に供給されて、冷却室が冷却される。そして、冷却室の温度が所定の温度まで低下すると、圧縮機が停止し、該停止に連動して電磁弁がオフ（閉弁）になることで、冷却器への冷媒供給が停止する。
【０００３】
【特許文献１】特開昭５３−９７６６３号公報（第１図）
【発明の開示】
【発明が解決しようとする課題】
【０００４】
特許文献１の冷却庫では、圧縮機の作動に連動して電磁弁がオンするために、圧縮機の作動開始直後に生じる高温高圧の冷媒ガスが、電磁弁を介して冷却器に流れ込んでしまう。このため、冷媒ガスによって冷却器が温められてしまい、これにて冷却室内の温度が過剰に上昇してしまう。この結果、例えば冷却室が冷凍室の場合には、該冷凍室に収容されている貯蔵物が不用意に解凍され、これに伴って貯蔵物の品質劣化が生じてしまう。
【０００５】
本発明は、以上のような問題を解決するためになされたものであり、その目的は、冷却室内の温度の過剰な上昇を防いで、冷却室内の貯蔵物の品質劣化を防止することにある。
【課題を解決するための手段】
【０００６】
本発明に係る冷却庫は、冷却室５と、該冷却室５に配置された冷却器６とを有し、冷却器６に圧縮機１２で圧縮されて凝縮器１３で液化された冷媒が供給されることで、冷却室５内が冷却されるようになっている。冷却器６の冷媒入口６ａが、電磁弁１５を介して圧縮機１２の冷媒出口１２ｂ側に接続され、冷却器６の冷媒出口６ｂが、圧縮機１２の冷媒入口１２ａ側に接続されており、冷却室５には、該冷却室５内の温度を検知する温度センサ１８が配置されており、圧縮機１２が停止している状態で温度センサ１８の検知温度Ｄが所定のオン温度値Ｄｎ以上になると、圧縮機１２が作動し、その後に温度センサ１８の検知温度Ｄが所定のオフ温度値Ｄｆ以下になると、圧縮機１２が停止する。
そして、この冷却庫は、電磁弁１５が、圧縮機１２の作動の開始時刻から所定の待機時間Ｌｔが経過したときにオフからオンになり、その後に温度センサ１８の検知温度Ｄがオフ温度値Ｄｆ以下になるとオフになることを特徴とする。
【０００７】
また本発明に係る冷却庫は、複数個の冷却室５１・５２と、各冷却室５１・５２に配置された冷却器６１・６２とを有し、これら冷却器６１・６２に圧縮機１２で圧縮されて凝縮器１３で液化された冷媒が供給されることで、各冷却室５１・５２内が冷却されるようになっている。各冷却器６１・６２の冷媒入口６１ａ・６２ａが、電磁弁１５１・１５２を介して圧縮機１２の冷媒出口１２ｂ側にそれぞれ接続され、各冷却器６１・６２の冷媒出口６１ｂ・６２ｂが、圧縮機１２の冷媒入口１２ａ側にそれぞれ接続されており、各冷却室５１・５２には、該冷却室５１・５２内の温度を検知する温度センサ１８１・１８２がそれぞれ配置されており、圧縮機１２が停止している状態で温度センサ１８１・１８２により検知された各冷却室５１・５２の検知温度Ｄ１・Ｄ２のいずれかが、冷却室５１・５２毎に設定された所定のオン温度Ｄｎ１・Ｄｎ２以上になると、圧縮機１２が作動する。
そして、圧縮機１２の作動の開始時刻から所定の待機時間Ｌｔが経過したときに、前記検知温度Ｄ１・Ｄ２が前記オン温度値Ｄｎ１・Ｄｎ２以上となる冷却室５１・５２に対応する電磁弁１５１・１５２がオフからオンになり、その後に当該冷却室５１・５２の検知温度Ｄ１・Ｄ２が、冷却室５１・５２毎に設定された所定のオフ温度Ｄｆ１・Ｄｆ２以下になると、該オフ温度Ｄｆ１・Ｄｆ２以下となった冷却室５１・５２に対応する電磁弁１５１・１５２がオンからオフになり、全ての電磁弁１５１・１５２がオフになると、圧縮機１２が停止することを特徴とする。なお、冷却室が３以上の場合でも同様である。
【発明の効果】
【０００８】
本発明に係る冷却庫では、圧縮機１２が停止している状態で温度センサ１８の検知温度Ｄがオン温度値Ｄｎ以上になると、圧縮機１２が作動する。その圧縮機１２の作動の開始時刻から待機時間Ｌｔが経過したときに、電磁弁１５がオフからオンになる。これにて圧縮機１２で圧縮されて凝縮器１３で液化した冷媒が、電磁弁１５を介して冷却器６に供給され始め、該冷媒の気化熱で冷却室５内が冷却される。その冷却によって冷却室５内の温度が低下して、温度センサ１８の検知温度Ｄがオフ温度値Ｄｆ以下になると、電磁弁１５がオフになり、また圧縮機１２が停止する。
【０００９】
これによれば、圧縮機１２の作動開始直後は電磁弁１５がオフであるので、圧縮機１２の作動開始直後に生じる高温高圧の冷媒ガスが冷却器６に流れ込むことを確実に阻止できる。したがって、前記冷媒ガスによって冷却器６が温められて、冷却室５内の温度が過剰に上昇することを防止することができ、例えば冷却室５としての冷凍室５２に冷凍保存されている貯蔵物が不用意に解凍されて、貯蔵物の品質が劣化することを防ぐことができる。つまり、本発明によれば、貯蔵物が不用意に温められて、貯蔵物の品質が劣化することを効果的に防ぐことができ、信頼性に優れた冷却庫を得ることができる。
【００１０】
冷却庫が２以上の冷却室５を備える場合も同様である。すなわち、圧縮機１２が停止している状態で各冷却室５１・５２の温度センサ１８１・１８１の検知温度Ｄ１・Ｄ２のいずれかが、オン温度値Ｄｎ１・Ｄｎ２以上になると、圧縮機１２が作動する。その圧縮機１２の作動の開始時刻から待機時間Ｌｔが経過したときに、前記オン温度値Ｄｎ１・Ｄｎ２以上の冷却室５１・５２用の電磁弁１５１・１５２がオフからオンになる。これにて圧縮機１２で圧縮されて凝縮器１３で液化した冷媒が、前記オンした電磁弁１５１・１５２を介して冷却器６１・６２に供給され始め、該冷媒の気化熱で前記オン温度値Ｄｎ１・Ｄｎ２以上になった冷却室５１・５２内が冷却される。そして、当該冷却室５１・５２内の温度が低下して、当該冷却室５１・５２の温度センサ１８１・１８２の検知温度Ｄ１・Ｄ２がオフ温度値Ｄｆ１・Ｄｆ２以下になると、該オフ温度Ｄｆ１・Ｄｆ２以下となった冷却室５１・５２用の電磁弁１５１・１５２がオフになる。そして、全ての電磁弁１５１・１５２がオフになると、圧縮機１２が停止する。
【００１１】
すなわち、本発明によれば、圧縮機１２の作動開始直後は電磁弁１５１・１５２のいずれもオフであるので、圧縮機１２の作動開始直後に生じる高温高圧の冷媒ガスが冷却器６１・６２に流れ込むことがない。これにて、冷媒ガスによって冷却器６１・６２が温められて、冷却室５１・５２内の温度が過剰に上昇し、例えば冷凍保存されている貯蔵物が不用意に解凍されて、貯蔵物の品質が劣化することを確実に防止することができる。つまり、各冷却室５１・５２の貯蔵物が不用意に温められて、貯蔵物の品質が劣化することを効果的に防ぐことができる。
【発明を実施するための最良の形態】
【００１２】
本発明に係る冷却庫の実施形態を図１ないし図４に基づいて説明する。図２において冷却庫には、前面が開口する断熱構造のケース本体１と、該ケース本体１の内部空間を上下に仕切る断熱構造の仕切り壁２と、ケース本体１の下側に配置した機械室３とを備えている。そして、ケース本体１内における仕切り壁２の上部に冷却室５としての冷蔵室５１が構成され、仕切り壁２の下部に冷却室５としての冷凍室５２が構成される。
【００１３】
冷蔵室５１および冷凍室５２内には、冷却器６としての冷却器６１・６２がそれぞれ配置される。冷蔵室５１の冷却器６１は、冷蔵室５１の後部に配置されたダクト４内の上端部に配置される。そして、ダクト４の上部開口に配置したファン８によってダクト４内に吸い込まれた冷蔵室５１内の冷気が、冷却器６１で冷却されたのち、ダクト４の下部開口から冷蔵室５１内に吹き出される。冷凍室５２の冷却器６２は、パネル状に形成されて冷凍室５２の内壁に配置される。冷蔵室５１内は、例えば３℃に冷却され、冷凍室５２内は、例えば−３０℃に冷却される。冷蔵室５１および冷凍室５２の各前面開口は、断熱構造の扉１０・１１によってそれぞれ開閉操作される。
【００１４】
機械室３内には、図１および図２に示す冷凍機構７が配置されており、該冷凍機構７は、一台の圧縮機１２と一台の凝縮器１３とによって構成される。そして、各冷却器６１・６２の冷媒入口６１ａ・６２ａが、膨張弁１４としての膨張弁１４１・１４２および電磁弁１５としての電磁弁１５１・１５２を介して凝縮器１３の冷媒出口１３ｂにそれぞれ接続され、凝縮器１３の冷媒入口１３ａが圧縮機１２の冷媒出口１２ｂに接続される。つまり、各冷却器６１・６２の冷媒入口６１ａ・６２ａ側が、同一の凝縮器１３を介して同一の圧縮機１２の冷媒出口１２ｂ側にそれぞれ接続される。また、冷蔵室５１の冷却器６１の冷媒出口６１ｂが、キャピラリチューブ２０を介して圧縮機１２の冷媒入口１２ａに接続され、冷凍室５２の冷却器６２の冷媒出口６２ｂが、逆止弁２１を介して圧縮機１２の冷媒入口１２ａに接続される。つまり、各冷却器６１・６２の冷媒出口６１ｂ・６２ｂが、前記圧縮機１２の冷媒入口１２ａ側にそれぞれ接続される。
【００１５】
冷蔵室５１には、冷却器７に臨ませてヒータ１６が配置されており、該ヒータ１６は、冷蔵室５１の冷却器６１の除霜等に使用される。冷蔵室５１および冷凍室５２には、各室５１・５２内の温度を検知する温度センサ１８としての温度センサ１８１・１８２をそれぞれ配置してある。なお、凝縮器１３は、ファン１７の送風によって冷却される。
【００１６】
冷却庫には、各温度センサ１８１・１８２の検知温度に基づいて、各室５１・５２内が所定の温度範囲内になるように各電磁弁１５１・１５２のオンオフを制御するとともに、圧縮機１２の作動および停止を制御する制御部２３が設けられる。制御部２３は、両電磁弁１５１・１５２の少なくとも一方がオン（開弁）しているときには圧縮機１２を作動させ、両電磁弁１５１・１５２がオフ（閉弁）のときに圧縮機１２を停止する。冷蔵室用の電磁弁１５１がオンしたときには、圧縮機１２で圧縮されて凝縮器１３で液化した冷媒が冷蔵室用の冷却器６１に供給され、該冷媒の気化熱で冷蔵室５１内が冷却される。また、冷凍室用の電磁弁１５２がオンしたときには、圧縮機１２で圧縮されて凝縮器１３で液化した冷媒が冷凍室用の冷却器６２に供給され、該冷媒の気化熱で冷凍室５２内が冷却される。
【００１７】
次に、本発明の冷却庫の動作を、図３のフローチャートおよび図４のタイミングチャートを用いて説明する。制御部２３には、計時用のタイマー２４（図１）が内蔵されており、該タイマー２４は、図３のフローチャート（以下、本フローチャートと記す。）の実行開始の際にリセットされる。なお、本フローチャートの実行開始の際には、両電磁弁１５１・１５２がオフになっていて圧縮機１２が停止しており、これに伴って冷蔵室５１および冷凍室５２の温度が上昇している状態であるものとする。
【００１８】
まず制御部２３は、温度センサ１８１による冷蔵室５１の検知温度Ｄ１が、予め設定された所定の冷蔵用オン温度値Ｄｎ１（例えば７℃）以上、又は温度センサ１８２による冷凍室５２の検知温度Ｄ２が、予め設定された所定の冷凍用オン温度値Ｄｎ２（例えば−２８℃）以上になったか否かを判断する（Ｓ１、Ｓ２）。例えば、冷凍室５２の検知温度Ｄ２が冷凍用オン温度値Ｄｎ２よりも低い状態で（Ｓ２でＮＯ）、冷蔵室５１の検知温度Ｄ１が冷蔵用オン温度値Ｄｎ１以上になった場合には（Ｓ１でＹＥＳ：時刻ｔ１）、制御部２３は、圧縮機１２の作動を開始させるとともに（Ｓ３）、タイマー２４による計時を開始する（Ｓ４）。
【００１９】
そして、タイマー２４での計時時間Ｔが、予め設定された所定の待機時間Ｌｔ（例えば６０秒）を経過すると（Ｓ５でＹＥＳ：時刻ｔ２）、制御部２３は、前述のように冷蔵室５１の検知温度Ｄ１が冷蔵用オン温度値Ｄｎ１以上であるので（Ｓ６でＹＥＳ）、冷蔵室用の電磁弁１５１をオンする（Ｓ７）。これにて圧縮機１２で圧縮されて凝縮器１３で液化した冷媒が冷蔵室用の冷却器６１に供給され、該冷媒の気化熱で冷蔵室５１内が冷却される。なお、ここでは、冷凍室５２の検知温度Ｄ２が冷凍用オン温度値Ｄｎ２よりも低くなっているとして説明しており、冷凍室用の電磁弁１５２はオフになっている。
【００２０】
この後、冷蔵室５１の検知温度Ｄ１が、予め設定された所定の冷蔵用オフ温度値Ｄｆ１（例えば３℃）以下になると（Ｓ１０でＹＥＳ）、制御部２３は、冷蔵室用の電磁弁１５１をオフにする（Ｓ１１：時刻ｔ３）。前述のように冷凍室用の電磁弁１５２はオフであるので、全ての電磁弁１５１・１５２がオフになり（Ｓ１４でＹＥＳ）、制御部２３は、圧縮機１２を停止させるとともに（Ｓ１５）、タイマー２４をリセットする（Ｓ１６）。次いで、制御部２３は、Ｓ１に戻ってＳ１以降の処理を繰り返す。
【００２１】
また、例えば、冷蔵室５１の検知温度Ｄ１が冷蔵用オン温度値Ｄｎ１よりも低い状態で（Ｓ１でＮＯ）、冷凍室５２の検知温度Ｄ２が冷凍用オン温度値Ｄｎ２以上になった場合にも（Ｓ２でＹＥＳ：時刻ｔ４）、制御部２３は、圧縮機１２を作動させ、且つタイマー２４による計時を開始する（Ｓ３、Ｓ４）。
【００２２】
そして、前記待機時間Ｌｔが経過したときに（Ｓ５でＹＥＳ）、制御部２３は、前述のように冷凍室５２の検知温度Ｄ２が冷凍用オン温度値Ｄｎ２以上であるので（Ｓ８でＹＥＳ）、冷凍室用の電磁弁１５２をオンする（Ｓ９：時刻ｔ５）。これにて圧縮機１２で圧縮されて凝縮器１３で液化した冷媒が冷凍室用の冷却器６２に供給され、該冷媒の気化熱で冷凍室５２内が冷却される。なお、ここでは、冷蔵室５１の検知温度Ｄ１が冷蔵用オン温度値Ｄｎ１よりも低くなっているとして説明しており、冷蔵室用の電磁弁１５１はオフになっている。
【００２３】
この後、冷凍室５２の検知温度Ｄ２が、予め設定された所定の冷凍用オフ温度値Ｄｆ２（例えば−３１℃）以下になると（Ｓ１２でＹＥＳ）、制御部２３は、冷凍室用の電磁弁１５２をオフにする（Ｓ１３：時刻ｔ６）。このとき、前述のように冷蔵室用の電磁弁１５１がオフであるので、全ての電磁弁１５１・１５２がオフになり（Ｓ１４でＹＥＳ）、制御部２３は、圧縮機１２を停止させ、且つタイマー２４をリセットする（Ｓ１５、Ｓ１６）。次いで、制御部２３は、Ｓ１に戻ってＳ１以降の処理を繰り返す。
【００２４】
このように、本発明では、全ての電磁弁１５１・１５２がオフになっていて圧縮機１２が停止している状態で、冷蔵室５１や冷凍室５２の温度が上昇して、冷蔵室５１および冷凍室５２の検知温度Ｄ１・Ｄ２のいずれかがオン温度値Ｄｎ１・Ｄｎ２以上になって、圧縮機１２が作動しても、該作動が開始した時刻（時刻ｔ１、ｔ４）から待機時間Ｌｔが経過するまでは、電磁弁１５１・１５２はオンしない。
【００２５】
これにて、圧縮機１２の作動開始直後に生じる高温高圧の冷媒ガスが冷却器６１・６２に流れ込むことが阻止される。したがって、冷媒ガスによって冷却器６１・６２が温められて、冷蔵室５１や冷凍室５２の室内の温度が過剰に上昇し、例えば冷凍室５２に冷凍保存されている貯蔵物が不用意に解凍されてしまって、貯蔵物の品質が劣化すること等を確実に防止することができる。
【００２６】
本発明は、冷却室５が一室のみの場合、または複数個の冷却室５のうち、一室のみを使用している場合でも適用できる。例えば冷却室５として一室のみを使用している場合について説明すると、制御部２３は、圧縮機１２が停止している状態で温度センサ１８による冷却室５の検知温度Ｄが、予め設定された所定のオン温度値Ｄｎ以上になると、圧縮機１２を作動させるとともに、タイマー２４による計時を開始する。
【００２７】
そして、タイマー２４の計時時間Ｔが前記待機時間Ｌｔを経過すると、制御部２３は、冷却室用の電磁弁１５をオフからオンにする。これにて圧縮機１２で圧縮されて凝縮器１３で液化した冷媒が冷却器６の冷媒入口６ａ側に向けて供給され、該冷媒の気化熱で冷凍室５２内が冷却される。なお、気化した冷媒は、冷却器６の冷媒出口６ｂから排出されて圧縮機１２に戻る。この後、冷却室５の検知温度Ｄが、予め設定された所定のオフ温度値Ｄｆ以下になると、制御部２３は、電磁弁１５をオフにし、且つ圧縮機１２を停止させるとともにタイマー２４をリセットする。
【００２８】
つまり、この場合にも、圧縮機１２が停止している状態で冷却室５内の温度が上昇して検知温度Ｄがオン温度値Ｄｎ以上になったために、圧縮機１２が作動しても、該作動が開始した時刻から待機時間Ｌｔが経過するまでは電磁弁１５がオンしない。これにて、圧縮機１２の作動開始直後に生じる高温高圧の冷媒ガスが冷却器６に流れ込んで、冷媒ガスによって冷却器６が温められて、貯蔵物の品質が劣化すること等を確実に防止することができる。
【００２９】
本発明は、冷却室５が三室以上の場合でも適用できる。この場合にも、制御部２３は、圧縮機１２が停止している状態で各冷却室５に配置した温度センサ２５の検知温度Ｄのいずれかが、各冷却室５毎に予め設定された所定のオン温度値Ｄｎ以上になると、圧縮機１２を作動させるとともに、タイマー２４による計時を開始する。そして、制御部２３は、前記待機時間Ｌｔが経過すると、前記オン温度値Ｄｎ以上となる冷却室用の電磁弁１５をオンする。この後、当該冷却室５の検知温度Ｄが、予め設定された所定のオフ温度値Ｄｆ以下になると、当該オフ温度値Ｄｆ以下になった冷却室用の電磁弁１５をオフにする。そして、全ての電磁弁１５がオフになると、圧縮機１２が停止する。
【００３０】
なお、前記待機時間Ｌｔ内に、複数個の温度センサ２５の検知温度Ｄがオン温度値Ｄｎ以上になると、待機時間Ｌｔが経過したときには、それらオン温度値Ｄｎ以上となる冷却室用の電磁弁１５がそれぞれオンすることになる。
【図面の簡単な説明】
【００３１】
【図１】本発明に係る冷却庫を示すブロック構成図である。
【図２】本発明に係る冷却庫の概略構成を示す概略縦断面図である。
【図３】本発明に係る制御部の動作を示すフローチャートである。
【図４】本発明に係る制御部の動作を示すタイミングチャートである。
【符号の説明】
【００３２】
５  冷却室
６・６１・６２  冷却器
６ａ・６１ａ・６２ａ  冷却器の冷媒入口
６ｂ・６１ｂ・６２ｂ  冷却器の冷媒出口
１２  圧縮機
１２ａ  圧縮機の冷媒入口
１２ｂ  圧縮機の冷媒出口
１３  凝縮器
１５・１５１・１５２  電磁弁
１８・１８１・１８２  温度センサ
２３  制御部
５１  冷蔵室
５２  冷凍室
【図１】
2010025484.tif 000003
【図２】
2010025484.tif 000004
【図３】
2010025484.tif 000005
【図４】
2010025484.tif 000006